(57)【要約】【課題】ブーム内における左右の各二条のリブにおける頂部を、夫々対応するアンテナ素子の周壁に食い込ませて、アンテナ素子の固定が確実で信頼性の高いアンテナ素子の固定部の構造を提供する。【解決手段】ブームの管壁における左右の壁部の内面の夫々には、上下方向に相互間に間隙を形成する状態でブームの軸心方向に長い二条のリブが並設させ、上記リブにおける夫々の相手のリブに近い側に頂部が形成されるように山形状に形成してあり、管壁孔は、上記左右の各二条のリブの相互間に形成してあって、管壁孔の直径は上記左右の各二条のリブの頂部相互間の間隙よりも小さく形成してあって、左右の各二条のリブにおける頂部を、夫々対応するアンテナ素子の周壁に食い込ませてあって、上記頂部でもってアンテナ素子の回動と軸線方向の移動を阻止するような状態でブームにアンテナ素子が固着されている。【選択図】    図１１
2011029830.tif 000002
【特許請求の範囲】
【請求項１】
中空管状のブームの管壁には、中空管状のアンテナ素子をブームの左右方向に貫通させる為の二個一対の管壁孔を設け、
上記二個一対の管壁孔には中空管状のアンテナ素子を貫通させ、上記ブームに圧力を加えてブームを変形させることにより、上記ブームに対してアンテナ素子を固着するようにしたアンテナの製造方法において、
上記ブームの管壁における左右の壁部の内面の夫々には、上下方向に相互間に間隙を形成する状態でブームの軸心方向に長い二条のリブを並設させ、
上記左右の壁部内面に夫々配した二条のリブの断面形状は、夫々管内部に向けて突出させると共に、
各リブにおける突出させてある部分においては、上下方向に相対向するリブに夫々頂部が形成されるように山形状に形成してあり、
一方、上記管壁孔は、上記左右の各二条のリブの頂部相互間に形成して、
さらに、上記ブームを上下方向に縮小することにより、ブームの管壁における上下の壁部を相互に近づける方向に変形させると共に、左右の壁部は相互に遠く離れるように変形させ、
上記変形によって上記左右の各二条のリブにおける上下の頂部が相互に近づき、かつ、左右の頂部が相互に離れるように変位させ、
それらの変位によって、上記左右の各二条のリブにおける上下の頂部を、アンテナ素子の周壁近くの位置から、夫々対応するアンテナ素子の周壁に向けて夫々斜めに深く食い込ませて、上記左右の各二条のリブの相互間に位置するアンテナ素子の周壁を夫々管壁孔に向けて押し寄せる状態にして、ブームに対するアンテナ素子の回動と軸線方向の移動を阻止するようにすることを特徴とするアンテナ素子の製造方法。
【請求項２】
中空管状のブームの管壁の左右両側に備えさせた二個一対の管壁孔には中空管状のアンテナ素子を貫通させ、かつ、
そのアンテナ素子は上記ブームに固着してあるアンテナにおいて、
上記ブームの管壁における左右の壁部の内面の夫々には、上下方向相互間に間隙を形成する状態でブームの軸心方向に長い二条のリブを並設させ、
上記左右の壁部内面に夫々配した二条のリブの断面形状は、夫々管内部に向けて突出させると共に、
各リブにおける突出させてある部分においては、上下方向に相対向するリブにおける夫々の相手のリブに対向する部分に頂部が形成されるように山形状に形成してあり、
一方、上記管壁孔は、上記左右の各二条のリブの相互間に形成してあって、上記中空管状のブームに対するアンテナ素子の固着は、上記四条のリブの夫々の頂部が、夫々対応するアンテナ素子の周壁に夫々食い込む状態になっていて、
その食い込む状態は、夫々の頂部がアンテナ素子の周壁近くの位置から、夫々対応するアンテナ素子の周壁に向けて夫々斜めに深く食い込み、
上記左右の各二条のリブの相互間に位置するアンテナ素子の周壁を夫々管壁孔に向けて押し寄せる状態にして上記中空管状のブームにアンテナ素子を固着することを特徴とするアンテナ素子の固定部の構造。
【発明の詳細な説明】
【技術分野】
【０００１】
本発明は、例えばＵＨＦ、その他の通信信号の送受をする場合に、中空管状のブームに二個一対の貫通孔を備えさせ、その貫通孔に対して、パイプ状のアンテナ素子を貫通させた状態で固定させたアンテナに関するもので、そのアンテナの素子の固定部の構造及びアンテナの製造方法に関するものである。
【背景技術】
【０００２】
従来より、中空管状のブームに二個一対の貫通孔を備え、その貫通孔に対して、パイプ状のアンテナ素子を貫通させた状態で固定させたアンテナ素子の固定部の構造及びアンテナの製造方法は広く知られている（例えば、特許文献１参照）。
例えば特許文献１に示されるアンテナ素子の製造方法は次のようにされている。
中空管状のブームの管内においては、断面形状においてアンテナ素子の存置予定位置の両側となる位置を中間にしてそれの上下両側位置に夫々上記ブームの軸心方向に伸びる板状のリブを備えさせ、次に、上記ブームの管壁孔にアンテナ素子を貫通させ、
中空管状のブームの外壁に上下方向から圧力を加えて中空管状のブームの外壁を相互に近づけ、その中空管状のブームの外壁を相互に近づけることにより、ブーム管内のリブの自由端を上記中空管状アンテナ素子の管壁に押し当てて固定している。
【先行技術文献】
【特許文献】
【０００３】
【特許文献１】特許第４０６４８３６号公報
【発明の概要】
【発明が解決しようとする課題】
【０００４】
この従来のアンテナ素子の製造方法では、ブームを変形させる場合、ブームの軸心方向に長い直線状のリブでもって、「アンテナ素子の中心位置の上下にある周壁部」を押さえ付けている。しかしながら、アンテナ素子の周壁の肉厚は極めて薄く形成されているのが実情であり、その「アンテナ素子の中心位置の上下にある周壁部」は、反力が小さくて僅かな力で塑性変形する。
従って、上記「リブ」による「アンテナ素子の中心位置の上下にある周壁部」の押え量が僅かに不足したり、過剰になると、アンテナ素子の周壁が薄くて弱体であることからして、変形し、アンテナ素子の周壁に対するリブの押え状態は不安定になり、ブームに対するアンテナ素子の抜け止め、回り止めが十分にされず、信頼性に欠ける問題点があった。
【０００５】
上記問題点を解決する為にブームの外周を局部的に大きく変形させて、ブームにおける局部的変形部分でアンテナ素子を固着する手段も提供されている。しかし、ブームの外周を局部的に大きく変形させると、その局部的変形部分によってアンテナ素子の周壁に傷が付き、そこから腐食する問題点が発生していた。
【０００６】
本件出願の目的は、ブームの管壁孔に対してアンテナ素子を貫通させた状態で固定させることができるは勿論、ブームに対してアンテナ素子を固定する場合、ブームの管壁孔にアンテナ素子を貫通させて、ブームを上下方向に加圧するだけで、ブームの断面形状において左右方向に広げてアンテナ素子を極めて簡便に固定できるアンテナ素子の固定部の構造及びアンテナの製造方法を提供しようとするものである。
他の目的は、ブームを変形させる場合、ブーム内の左右に備えさせた各二条のリブ における頂部を、夫々対応する「アンテナ素子における管壁孔近くの壁部」に食い込ませて、ブームに対するアンテナ素子の抜け止めと回り止めをして長寿命で使用することができるアンテナ素子の固定部の構造及びアンテナの製造方法を提供しようとするものである。
他の目的及び利点は図面及びそれに関連した以下の説明により容易に明らかになるであろう。
【課題を解決するための手段】
【０００７】
本発明におけるアンテナ素子の製造方法は、中空管状のブーム２０の管壁２１には、中空管状のアンテナ素子１９をブーム２０の左右方向に貫通させる為の二個一対の管壁孔５５を設け、上記二個一対の管壁孔５５には中空管状のアンテナ素子１９を貫通させ、上記ブーム２０に圧力を加えてブーム２０を変形させることにより、上記ブーム２０に対してアンテナ素子１９を固着するようにしたアンテナの製造方法において、上記ブーム２０の管壁２１における左右の壁部２５、２７の内面の夫々には、上下方向に相互間に間隙５２を形成する状態でブーム２０の軸心方向に長い二条のリブ３６、３７を並設させ、上記左右の壁部内面に夫々配した二条のリブ３６、３７の断面形状は、夫々管内部21ｂに向けて突出させると共に、各リブ３６、３７における突出させてある部分においては、上下方向に相対向するリブ３６、３７に夫々頂部４３が形成されるように山形状に形成してあり、一方、上記管壁孔５５は、上記左右の各二条のリブ３６、３７の頂部相互間に形成して、さらに、上記ブーム２０を上下方向に縮小することにより、ブーム２０の管壁２１における上下の壁部２３、２９を相互に近づける方向に変形させると共に、左右の壁部２５、２７は相互に遠く離れるように変形させ、  上記変形によって上記左右の各二条のリブ３６、３７における上下の頂部４３、４３が相互に近づき、かつ、左右の頂部４３、４３が相互に離れるように変位させ、それらの変位によって、上記左右の各二条のリブ３６、３７における上下の頂部４３、４３を、アンテナ素子１９の周壁８０近くの位置から、夫々対応するアンテナ素子１９の周壁８０に向けて夫々斜めに深く食い込ませて、上記左右の各二条のリブ３６、３７の相互間に位置するアンテナ素子１９の周壁８０を夫々管壁孔５５に向けて押し寄せる状態にして、ブーム２０に対するアンテナ素子１９の回動と軸線方向の移動を阻止するようにするものである。
【０００８】
また、本発明におけるアンテナ素子の固定部の構造は、中空管状のブーム２０の管壁２１の左右両側に備えさせた二個一対の管壁孔５５には中空管状のアンテナ素子１９を貫通させ、かつ、そのアンテナ素子１９は上記ブーム２０に固着してあるアンテナ１において、上記ブーム２０の管壁２１における左右の壁部２５、２７の内面の夫々には、上下方向相互間に間隙５２を形成する状態でブーム２０の軸心方向に長い二条のリブ３６、３７を並設させ、上記左右の壁部内面に夫々配した二条のリブ３６、３７の断面形状は、夫々管内部21ｂに向けて突出させると共に、各リブ３６、３７における突出させてある部分においては、上下方向に相対向するリブ３６、３７における夫々の相手のリブ３６、３７に対向する部分に頂部４３が形成されるように山形状に形成してあり、一方、上記管壁孔５５は、上記左右の各二条のリブ３６、３７の相互間に形成してあって、上記中空管状のブーム２０に対するアンテナ素子１９の固着は、上記四条のリブ３６、３７の夫々の頂部４３が、  夫々対応するアンテナ素子１９の周壁に夫々食い込む状態になっていて、その食い込む状態は、夫々の頂部４３がアンテナ素子１９の周壁８０近くの位置から、夫々対応するアンテナ素子１９の周壁８０に向けて夫々斜めに深く食い込み、上記左右の各二条のリブ３６、３７の相互間に位置するアンテナ素子１９の周壁８０を夫々管壁孔５５に向けて押し寄せる状態にして上記中空管状のブーム２０にアンテナ素子１９を固着したものである。
【発明の効果】
【０００９】
以上のように本発明によれば、ブーム２０に対するアンテナ素子１９の固定状態は、上記ブーム２０の管壁２１の左右の壁部２５、２７の内面に相互に間隙５２を隔てて夫々二条のリブ３６、３７を並設させ、それらのリブ３６、３７の断面形状は、山形状に管内部に突出する状態に形成し、更に、管壁孔５５は、上記左右の各二条のリブ３６、３７の頂部４３、４３相互間に形成してあって、上記のブーム軸心方向に長い各リブ３６、３７の頂部４３、４３は、アンテナ素子１９の上下両側から夫々対応するアンテナ素子１９における周壁８０に対して上下斜め方向から食い込ませて、アンテナ素子１９における周壁８０を夫々管壁孔５５に向けて押し寄せる状態に変形させて、そこに堅固に一体化してアンテナ素子１９の固定を確実で信頼性の高いものにできる効果がある。
【００１０】
しかも本発明は、上記ブームに対するアンテナ素子の固定部は、ブーム２０の管壁内のリブ３６、３７における頂部４３、４３を、ブーム２０の管壁内に位置するアンテナ素子１９の周壁８０に食い込ませて固定しており、固定部分は、ブーム２０の管壁２１によって外部から保護されているので、外部からの腐食を防いで長寿命で使用することができる効果がある。
【００１１】
さらに本発明によれば、ブーム２０に対してアンテナ素子１９を固定する場合、ブーム２０の管壁孔５５にアンテナ素子１９を貫通させて、ブーム２０を上下方向に加圧するだけで、ブーム２０の管壁内における左右の側に設けた各二条のリブ３６、３７を上下に向けて相互に近づけながら、かつ、左右のリブ３６、３７は相互に遠ざける方向に変位させながらこれらのリブ３６、３７をアンテナ素子１９における周壁８０に食い込ませることができるので、ブーム２０の管壁孔５５、５５に対して、アンテナ素子１９における周壁８０を夫々押し付ける状態に固定する作業を極めて簡単にできるという作業上の効果がある。
【図面の簡単な説明】
【００１２】
【図１】アンテナの斜視図。
【図２】アンテナにおける支持杆を、アンテナ素子と同一平面に折畳んだ状態を説明する為の平面図。
【図３】（Ａ）は図２における符号III Aで示される部分拡大図。（Ｂ）は図１における符号III Bで示される部分の一部破断した拡大斜視図。
【図４】（Ａ）は管壁変形前のブームの部分側面図。（Ｂ）は管壁変形前のブームの部分平面図。
【図５】管壁変形前のブームの断面図で、（Ａ）は図４（Ａ）及び図７のＡ−Ａ線位置断面図、（Ｂ）は図４（Ａ）及び図７のＢ−Ｂ線位置断面図。
【図６】（Ａ）は図５（Ａ）のVI Aで示される部分拡大図。（Ｂ）は図５（Ａ）のVI Bで示される部分拡大図。
【図７】図５（Ａ）のVII−VII線断面図。
【図８】ブームに対するアンテナ素子の固定方法を説明する為の図で、管壁変形前のブームの管壁孔にアンテナ素子を貫通させ、金型内に位置させた状態を示す一部破断して示す概略断面図。その破断位置は、図４（Ａ）及び図７のＡ−Ａ線位置である。
【図９】ブームに対するアンテナ素子の固定方法を説明する為の図で、管壁変形前のブームの管壁孔にアンテナ素子を貫通させ、金型内に位置させた状態を示す一部破断して示す概略断面図。その破断位置は、図４（Ａ）及び図７のＢ−Ｂ線位置である。
【図１０】ブームに対するアンテナ素子の固定状態を説明する為の一部破断して示す概略断面図。その破断位置は、図４（Ａ）及び図７のＡ−Ａ線位置である。
【図１１】ブームに対するアンテナ素子の固定状態を説明する為の一部破断して示す概略断面図。その破断位置は、図４（Ａ）及び図７のＢ−Ｂ線位置である。
【図１２】ブーム壁部と、リブと、添付面と、角部との相互の動作を説明する為の図で、図９の符号Ｇ１部分と、図１１のＧ２部分のブームの輪郭を重ねて示す模式図。
【図１３】ブームに対して固定された後のアンテナ素子の平面図であって、ブームを除去してアンテナ素子の一部のみを示す図。なお、一点鎖線で示される符号21ａはブームの外周面位置を示す。
【図１４】ブームとリブの形状の異なる例を説明する為の概略斜視図で、管壁変形前のブームの一部分を破断して示す斜視図。
【図１５】ブームとリブの形状の異なる例を説明する為の概略断面図で、（Ａ）は変形前のブームの断面図。（Ｂ）は変形後のブームの断面図。
【図１６】ブームの変形の度合を示す概略模式図。
【発明を実施するための形態】
【００１３】
以下本発明の実施の形態を図面を用いて説明する。
図１において、１は、マスト２によって支持されているアンテナ、例えば周知のＵＨＦ波の送受に利用される周知のアンテナを示す。アンテナ１において、２０は中空管状のブーム、１６は放射器、１７は反射器、１８は導波器を示し、これらはブーム２０に対して装着されることにより一体化している。導波器１８において１９は、任意複数の中空管状のアンテナ素子で、ブーム２０の軸心に対して直交する方向に向けて、夫々管壁２１に任意所定の間隔で穿設された二個一対の管壁孔５５を貫通した状態で固定されている。
３は、Ｕ字状の支持杆を示し、金具２ａを介してマスト２に連結されている。支持杆３の両側の自由端３ａ、３ａは、取付金具５、５を介してブーム２０に着脱自在に連結してある。
【００１４】
取付金具５は、図３（Ｂ）に表われているように、鋼板を逆Ｕ字状に折り曲げて形成されたバンド部６と二つの支持杆添付部１０とを一体的に備える。なお、バンド部６において、６ａは膨出状に形成してあるリブを示し、バンド部６の下面における円弧の形状をブーム２０の外周形状に対応する曲面に維持する為の補強材である。６ｂ、６ｃはバンド部６の内懐部７側に係合用凸部を形成した場合にできた凹部を示す。凹部６ｃにおける内懐部７側の係合用凸部は筋３１に係合させ得るようにしてある。
バンド部６の内懐部７の形状は、ブーム２０の外径形状に対応させてあり、支持杆添付部１０、１０を締付けることによって内懐部７の内周面はブーム２０の管壁２１の外周面に対して一体化し、支持杆添付部１０、１０を緩めることにより、ブーム２０の外周面21ａは内懐部７の内周面から離れて９０度の範囲内で回動自在になる（図２の折畳状態から、図１の状態にできる）。８は周知の長孔を示し、ブーム２０に螺合させてある（回り止用）螺子に対して９０度の範囲内で回動方向に相対的な移動を可能にしてある。９は位置決め用の目印で、図１の組立完了状態において、ブーム２０の管壁２１の上部に設けられた筋３１に対応した位置を示す為に突出状に形成されている。１２は支持杆添付部１０、１０を締緩するためのボルトの頭を示す。
なお、バンド部６において、上記凹部６ｃの位置には凹部６ｃを設けることなく、上記リブ６ａと同様のものを設けて構成してもよい。
【００１５】
なお、当分野においてアンテナ１は、図１の状態でブーム２０に対してアンテナ素子１９を左右（水平方向）に突出させた状態で使用される場合が多い。しかし、アンテナ素子１９を上下に向けた状態で使用される場合もある。従って、当業者は利用の形態によって上下、左右の呼び名を変更して用いている。このような事情から本件（特許請求の範囲、明細書、図面）においては、上下、左右の用語の用い方においては、説明の都合上、図１の状態で用いられた場合を仮定して、アンテナ素子（エレメント）１９の突出方向を「左右」として説明し、図面上の上下を、そのまま「上下」と称して説明する。
【００１６】
次に、ブーム２０に対するアンテナ素子１９の固定部の構造に関連する構成について説明する。なお、図４〜９に示されるブーム２０はブーム管壁２１の変形前の状態を示す。
ブーム２０は、周知のようにアルミニウム合金（例えばアルミＡ６０６３−Ｔ５）或は塑性変形可能な任意の硬質材によって形成されている。ブーム２０の管壁２１の断面形状は、図５に示される壁部２３〜２９（第１壁から第７壁）で囲まれた多角形状にしてあり、上下の壁部２３と２９の外周間の寸法Ｈ１は、左右の第４壁２６の外周相互間の寸法Ｗ１より大きく設定してある。
【００１７】
管壁２１において、２３〜２９は、図５、７、８に表れている第１壁〜第７壁を示す。
第１壁２３、第７壁２９は、これらがブーム２０の上面に位置して用いられた場合、過大な積雪を防止する為に図示のように上面を円弧状に形成してある。
第２壁２４は、上方からリブ３６に向けて逐次肉厚を増して第４壁２６より厚みを大きく形成してある。
第３壁２５と第５壁２７は、夫々リブ３６、３７と一体化させて丈夫にしてある。
第４壁２６は、図８の状態から図１０の状態に向けてブーム２０を加圧して管壁２１を変形させる過程において、他の壁の部分に比較して大きく曲がり、図１０に表れているように円弧状に変形しうるように両隣の壁より薄い厚みで、しかも均一な厚みにしてある。
第６壁２８は、下方からリブ３７に向けて逐次肉厚を増して第４壁２６より厚みを大きく形成してある。
次に図３、４、６（Ｂ）に表れている３１、３２は、アンテナ素子１９を水平にした状態でアンテナを使用する場合におけるブーム２０の上下の中心位置を示す目印用の筋を示し、突設（凹設）してある。31Ｌ、31Ｒは、筋３１、３２の両隣に夫々平行して設けた筋を示し、ポール（支柱）が傾いていた場合、その傾きに対してアンテナ素子１９の傾きを調整する場合の目印として用いることができる。
【００１８】
図５〜８に表れる上記ブーム２０の管壁２１における左右の壁部（左右の第３壁２５、左右の第５壁２７）の内面の夫々には、上下方向に相互間に間隙５２を形成する状態でブーム２０の軸心方向に長い二条のリブ３６、３７が並設されている。第１リブ３６と、第２リブ３７の夫々の元部36ａ、37ａは、管壁２１と一体材でもって一体的に成形してあり、夫々の対応壁部の肉厚を補強している。４３は上記第１と第２リブ３６、３７における各第４周面４１と第３周面４０との間に形成される頂部を示す。第１と第２リブ３６、３７の断面形状は、図示のように上下方向の相対向する第１と第２リブ３６、３７における対向面の近い位置に頂部（稜線）４３が形成されるように、全体の断面形状を山形状に形成している。
次に３８〜４２は第１リブ３６及び第２リブ３７の各第１周面〜第５周面を示す。第１周面３８、第５周面４２は不測の変形を防止する為の肉盛り部分、第３周面４０と第４周面４１は、図１０〜図１１に表れているように、加圧完了状態において、アンテナ素子からの反力に負けることなく、設計上予定された食込み状態を得られるように、斜面に傾斜させてある。
このように内面に４条のリブ３６，３７を備えるブーム２０は、通常知られているように押出成形によっても製作できる。
【００１９】
次に、アンテナ素子１９を固着する手段について説明する。
まず、図１〜５の中空管状のブーム２０の管壁２１におけるアンテナ素子１９装着予定位置に対し、周知の手段を用いて、複数の中空管状のアンテナ素子１９を左右方向に貫通させる為の二個一対の管壁孔５５を所定間隔を隔てながら複数穿孔形成する。
上記管壁孔５５の直径Ｄ１は、周知のようにアンテナ素子１９の外径Ｄ２が挿通できるように対応寸法にしてあり、しかも、ブーム２０内の左右の各二条のリブ３６、３７における二つの頂部４３の相互間の間隙５２と同じか、又は小さく形成してある。
次に、上記二個一対の管壁孔５５に対して、通常行われるように中空管状のアンテナ素子１９を貫通させる。この状態では、アンテナ素子１９は図８、９のように、左右の各二条のリブ３６、３７の間において上下二つの添付面５６によって夫々支持される。
【００２０】
次に、図８、９のブーム２０を上下方向から任意の手段を用いて加圧することにより、図１０、１１に表れるようにブーム２０の断面を変形させ、その変形によって、ブーム内における上下のリブ３６、３７をも上下の頂部４３、４３が相互に近づくように変位させて、添付面５６をアンテナ素子１９の周壁８０に食い込ませる。
この点について、ブーム２０の管壁２１、ブーム内の上下のリブ３６、３７、ブーム２０内に位置するアンテナ素子１９夫々の動作を、図９〜１３を用いて以下詳しく順次説明する。
【００２１】
まず、ブーム２０の管壁２１の動作に関連する動作は次の通りである。図９に示されるブーム２０を上下方向（矢印35ａ、35ｂ方向）に加圧することにより、図１０、１１に表れるようにブーム２０の管壁２１における上下の壁部２３、２９を相互に近づける方向に変形させると共に、左右の第４壁２６は相互に遠く離れるように変形する。この変形させる手段としては、例えば断面形状が図９に示されている金型７０を用いる。ブーム２０を中間にして、互いに対向する状態で一対のプレス金型７０を配置する。金型７０における７１は凹部で、ブーム２０の仕上がり予定の外周形状（図１０のブームの外周形状）に対応する形状にしてある。（なお、金型７０の長手方向（ブームの軸心方向と同じ）の長さは任意であり、複数のアンテナ素子１９を同時に固着できるように長くしてあってもよい。）
図８、９の状態で上下二つのプレス金型７０の対向面70a、70bを夫々矢印３５ａ、３５bに向けて近付けると、ブームの第１壁２３と第７壁部２９とは、プレス金型７０に押されて相互に近づく方向に移動する。この移動と共に、左右の第４壁２６、２６は相互に遠ざかる方向（矢印３５ｃ、３５ｄ方向）へと広がる。この際、この第４壁２６、２６は図９のように上下のリブ３６、３７が存在する部分より肉薄で耐曲げ力が弱くなっていたり、又は図５（Ｂ）のように管壁孔５５の存在で耐曲げ力が弱くなっていたりしていて、夫々壁部２６の上下方向の中間位置を頂点として、図１０のように凹部７１の内壁面に沿う状態に左右に膨出状に変形する。このような、上下の壁部２３、２９の移動と、左右の第４壁２６、２６の移動に伴い、上半部の壁部２４はハの字状に広がり、下半部の壁部２８は逆ハの字状に広がる。
【００２２】
上記の動作により管壁孔５５の内径の形状は、図１１から明らかなように上下寸法は短くなる。従って、管壁８０は上下方向の孔縁に圧接する。圧接と同時に押し潰され、水平方向（図７の左右方向）に膨れる。すると、図７の管壁孔５５の孔縁の両側に圧接することになる。これにより管壁孔５５の内周と管壁８０の外周は全面密着となる。
【００２３】
なお、図１１において、各頂部４３、４３のアンテナ素子１９に対する食い込み位置は、アンテナ素子１９の軸線に対して、ブーム中心位置から略４０°の角度の範囲内、少なくとも５０°の範囲内に設定すると、角部５６と、頂部４３とのアンテナ素子１９の管壁８０に対する食込み具合は、管壁孔５５の近くで行われ、堅固になる。
また、アンテナ素子１９の管壁８０に対する頂部４３、４３の食い込む位置は図11のように、左右に４等分した位置、乃至は、それよりも管壁孔５５に片寄った位置がよい。
【００２４】
なお、ブーム２０の外形形状は、図１１から明らかなように、外観的に上側の３面の壁（２３、２４、２４）と、下側の３面の壁（２８、２８、２９）との形状が対称になり、均整のとれた六角形状を呈する。従って、見た目が良くなって、商品価値が高くなる。なお、六角形状とは、概略でよく、適当な距離から見て、例えば２〜３ｍ程度離れた場所からブームの外形をみて、美しく見える程度であればよい。さらに、ブーム２０の機械的強度を損なわない範囲で、ブーム２０の表面に模様や線条を施してもよい。模様や線条３１、31Ｌ、31Ｒを施すことにより、アンテナのデザイン的なイメージチェンジをはかることができる。また取付金具５のすべり留めの効果も期待できる。
【００２５】
次に、上記ブーム２０の管壁２１が図８、９の状態から図１０、１１の状態に変形することによって変位するブーム内の上下のリブ３６、３７の動作は次の通りである。
前述したブームの管壁２１における左右の壁部２６、２６の変形によって、図８の左右の各二条のリブ３６、３７も夫々図１０に示されるように、リブ３６、３７の上下の頂部４３、４３が相互に近づくように変位する。
この左右各２本のリブ３６、３７の変位によって、４つの添付面５６も夫々対応変位し、図１０、１１のように、 上下一対の頂部４３、４３が、相互に近付いて、夫々対応するアンテナ素子１９の周壁８０に食い込む。
図１２は、図８〜図１０に表れているブーム壁部２１と、リブ３６、３７と、添付面５６と、角部５７、アンテナ素子１９との相互の動作を詳細に説明する為に用いる図で、図９の符号Ｇ１部分と、図１１のＧ２部分の輪郭を重ねて、各部の動きを部分的に説明できるようにしたものであり、従って、この図の部分的な動きから、図８、９と、図１０、１１に表れている各部の対応する全ての動きは想定でき、明らかになる。
なお、図中、一点鎖線で示される壁２３、２６等の位置は、成型開始前、即ち、図９の状態を示す。実線で示される壁２３、２６等の位置は成型完了状態、即ち、図１０、１１の状態を示す。
図１２において、前述したように一点鎖線で示す壁２３を矢印３５ａ方向に押圧して実線方向に変位させると、前述したようにその変位に連動する状態で一点鎖線で示される壁２６に矢印３５ｄ方向の分力がおよんで壁２６は彎曲して実線位置に変位する。
【００２６】
次に図１２を用いて添付面５６と、角部５７の変位を説明する。この添付面５６と角部５７は、一点鎖線位置にある壁２３を矢印３５ａ方向に変位させることにより、一点鎖線位置から実線位置に向けて円弧の軌跡Ｓ６を描いて変位する。その変位の過程において「軌跡Ｓ６は下降曲線」を描き、かつ、図示のように、「添付面５６の水平な面を図１２からも明らかなように外向傾斜面５６に変化させる」ように変位する。
上記の添付面５６の動きは、図面から明らかなように管壁２１の左右における各上下に存在する各添付面５６、角部５７が一対として、同時に、「相互間の距離を縮めながら変位」する。
【００２７】
次に、アンテナ素子１９の周壁８０の変形状況は次の通りである。
上記の説明から明らかなように、ブーム２０のリブ３６、３７における頂部４３を夫々対応するアンテナ素子１９の周壁８０に食い込ませ（図１１参照）、しかもその食い込み状態においては、 各リブ３６、３７の山形状になっている部分の管内部21ｂ側に向く面４０を、断面形状において、上下方向に相対向するリブ３６、３７の頂部相互間を結ぶ線の線上にリブ３６、３７の一部が位置するように管内部21ｂ側に寄せた状態で食い込ませる。
【００２８】
上記の点を含めてアンテナ素子１９の周壁８０の変形状況をさらに説明すれば、前述したように、頂部４３と、４箇所の添付面５６がアンテナ素子１９の軸心方向（図１１における左右方向）に移動しながら変位すると、その変位により、アンテナ素子１９の周壁８０は図１１〜図１３から理解できるように変形する。
【００２９】
更に詳述すると、前述図１２の添付面５６、角部５７の部分が、一点鎖線位置から緩やかな円弧状の軌跡Ｓ６を描いて実線位置に向かう過程にあっては、アンテナ素子１９の周壁８０は、各添付面５６、角部５７の部分の移動により、それらに当接していた部分は、夫々上下方向に向けて圧縮されて、図示されているように、角部５７、５７相互間にあって周壁８７は、上下方向には潰れ、左右方向には膨出する（Ｄ２（図７参照）よりも大きいＤ６（図１３参照）の寸法となる）。そして、上下方向の寸法Ｄ５（図１０参照）は、変形前の直径Ｄ２に比べてやや小さく潰される。さらに添付面の角部５７、５７に当接している凹状係部８６、８６相互間の寸法は、最も小さくなる
このように、周壁８０の各部夫々の上下寸法を小さくしながら変形し、やがては図１２の状態に変形する。また当然のことながらこれらの変形した部分は、図１３に現れるようにアンテナ素子１９の平面形状にも表れる。
【００３０】
アンテナ素子１９の変形の状態を示す図１３において、周壁８０の外周面８１の上部に現れている凹状係部８６、８６は、図１１における添付面５６の角部５７が周壁８０の外周面８１に食い込み状に当接して凹状（溝状）になっている部分を示す。
８３、８３は、図１２の一点鎖線位置から、角部５７が緩やかな円弧状の軌跡Ｓ６を描いて実線位置に向かう過程において、上記外周面８１の上部に強く摺擦、圧縮してできた斜面を示す。８４、８４は、頂部４３、４３で押圧変形された斜面を示す。８８は谷底部を示す。
次に８２、８２は、頂部４３、４３が、図１２の一点鎖線位置から、緩やかな円弧状の軌跡Ｓ６を描いて実線位置に向かう過程において、上記外周面８１の上部を強く押圧してアンテナ素子１９の寸法を縮める過程で、アンテナ素子１９の筒体が左右方向の両側の壁部80ａに膨出した膨出部を示す。
なお、アンテナ素子１９の裏面も同様になるのであるが、自明な為省略する。
【００３１】
以上のように、ブーム２０を上下方向に加圧することにより、４個の添付面５６と、それらの角部５７を、夫々対応するアンテナ素子１９の周壁に食込ませた結果、ブーム２０の管内におけるアンテナ素子の固定部は、図１０〜１３を用いて説明したような状態になる。
この状態にあっては、図１０〜１３から理解できるように、アンテナ素子１９は、頂部４３、４３と、添付面５６、５６によって周壁は楔を打たれたようになっており、アンテナ素子の軸心（軸線）方向への移動は阻止され、かつ、周方向の回動も確実に阻止される。
しかも、上記アンテナ素子１９の外周面８１における凹状係部８６、８８等は、ブーム２０の管内、即ち、図１３のブームの管壁外周面21a、21aよりも管内に位置するものであり、雨水に晒されることはなく長寿命となる。
その上、アンテナ素子１９にあって、上記凹状係部８６、８８等が形成されている部分と、ブームの管壁外周面21a、21aとの間に夫々存在する「管壁孔５５の内面に当接する部分81a」は、夫々で対応する管壁孔５５の内面に夫々密着して、ソフトに支持されるので、アンテナ素子１９におけるブーム２０の左右の管壁孔５５から突出する部分の元部には、格別に配慮しなければならない様な集中応力が加わる場所はなく、ブームの元部は長寿命となる状態で維持される。
【００３２】
次に、図１〜１３のブーム２０とは、ブーム２０の断面形状と、リブ３６、３７の断面形状の点において異なる例を示す図１４、１５について説明する。
なお、図１５において（Ａ）は管壁変形前のブームの断面図を、（Ｂ）は管壁変形後のブームの断面図を示す。また図１４、１５において前述の図１〜１３のものと機能、性質、手段又は特徴等が同一又は均等構成と考えられる部分には、前述の図と同一の符号を付して重複する説明を省略する。
上記ブームの断面形状は、図５の場合は小判形状にして仕上がりを図１０のように六角形にしたが、図１４、１５の場合は、図示のように変形前の形状を楕円（長円）形状にして、変形後の仕上がり形状を図１５（Ｂ）のように円形にした。また、リブ３６、３７は、図示のように先を細く鋭利にした例を示す。
【００３３】
次に図１６は、図８と図１０に夫々表れているブームの断面形状を、相互の曲がり角度を比較する為に重ねて示した模式図である。図１６において、前述の図のものと機能、性質、手段又は特徴等が同一又は均等構成と考えられる部分には、前述の図と同一の符号を付して重複する説明を省略する。
なお、本件の図面において、［］内の数字は、実施例の角度（単位：度）を示す。＜＞内の数字は、実施例の半径曲率（半径：mm）を示す。
【００３４】
次に前述した本件に係わるアンテナの製造方法は、従来より知られている特開２００４−１２０４３４公報に記載されているアンテナの製造方法とは相違し、優れた特徴がある。即ち、上記公報に開示されているアンテナの製造方法は、ブームの内部に対して予めリブを配置し、そのリブを、ブームの内部に押型を通過させることによって変形させ、変形した方リブでもってアンテナ素子をブームに固着していた。従って、上記押型に対しては、ブームの内部を通過し易いように大量の油を供給する必要があり、成形後においては上記の油を除去するための作業が必要となり、コスト高になる問題点があった。この点、上記の本件アンテナの製造方法は、ブームの内部にあるリブを変形させるにあたり、ブームに対して外部から圧力を加えることにより、上記のリブを変形させるものであるから、上記の問題が解決される利点がある。
【符号の説明】
【００３５】
１・・・アンテナ、２・・・マスト、３・・・支持杆、３ａ・・・自由端、５・・・取付金具、６・・・バンド部、７・・・内懐部、８・・・長孔、９・・・目印、１０・・・支持杆添付部１１・・・透孔、１２・・・ボルト頭、１６・・・放射器、１７・・・反射器、１８・・・導波器、１９・・・アンテナ素子、２０・・・ブーム、２１・・・管壁、21a・・・ブーム管壁の外周面、２３・・・第１壁、２４・・・第２壁、２５・・・第３壁、２６・・・第４壁、２７・・・第５壁、２８・・・第６壁、２９・・・第７壁、３１、３２・・・筋、３６・・・第１リブ、３７・・・第２リブ、３８・・・第１周面、３９・・・第２周面、４０・・・第３周面、４１・・・第４周面、４２・・・第５周面、４３・・・頂部、５２・・・間隙、５５・・・管壁孔、５６・・・添付面、５７・・・角部、７０・・・金型、７１・・・凹部、７２・・・欠如部（エレメント存置空間）、８０・・・周壁、80ａ・・・壁部、８１・・・外周面、８２・・・外周方向への膨出部、８３・・・斜面、８４・・・斜面、８６・・・凹状係部、８７・・・アーチ状の周壁
【図１】
2011029830.tif 000003
【図２】
2011029830.tif 000004
【図３】
2011029830.tif 000005
【図４】
2011029830.tif 000006
【図５】
2011029830.tif 000007
【図６】
2011029830.tif 000008
【図７】
2011029830.tif 000009
【図８】
2011029830.tif 000010
【図９】
2011029830.tif 000011
【図１０】
2011029830.tif 000012
【図１１】
2011029830.tif 000013
【図１２】
2011029830.tif 000014
【図１３】
2011029830.tif 000015
【図１４】
2011029830.tif 000016
【図１５】
2011029830.tif 000017
【図１６】
2011029830.tif 000018